(57)【特許請求の範囲】
【請求項１】
所定のファイル作成周期毎に本体メモリに形成した計測データファイルにサンプリングした計測データを収容すると共に、該本体メモリに格納されている前記計測データファイルのコピーをリムーバブル記憶媒体に供給する波形観測装置において、
サンプリングした計測データを一時的に保存するバッファメモリと、
前記リムーバブル記憶媒体が前記波形観測装置に挿入されて該リムーバブル記憶媒体から差分コピー指令を読み込んだ際に前記バッファメモリに一時保存中の計測データを収容するための計測データファイルを前記本体メモリに作成すると共に該計測データファイルに前記バッファメモリの計測データを収容するファイル作成手段と、
差分データを含む計測データファイルのコピーを前記リムーバブル記憶媒体に供給するファイル転送手段とを有することを特徴とする波形観測装置。
【請求項２】
前記波形観測装置又は前記リムーバブル記憶媒体にコピー履歴ファイルを有し、
該コピー履歴ファイルによって前記リムーバブル記憶媒体に供給すべき計測データの有無を判定する、請求項１に記載の波形観測装置。
【請求項３】
請求項１又は２に記載の波形観測装置に加えて、前記リムーバブル記憶媒体から差分コピーを受け取る外部コンピュータを更に有する波形観測システムにおいて、
前記差分コピーの保存が完了した前記リムーバブル記憶媒体から前記計測データファイルを前記外部コンピュータが受け取ったときに、該外部コンピュータが保存している前記計測データファイルのうち、前記リムーバブル記憶媒体から受け取った前記計測データファイルと共通する計測データファイルが上書き保存されることを特徴とする波形観測システム。
【発明の詳細な説明】
【技術分野】
【０００１】
本発明は波形観測装置及びそのシステムに関する。
【背景技術】
【０００２】
工場生産ラインの設備の温度観測や圧力観測のために波形観測装置が用いられている。歴史的には、ロール状の紙に波形を書き込むものであったが、電子機器の発達に伴い、紙に代わってディスプレーを使って波形を表示する波形観測装置が今現在では普及している。
【０００３】
波形観測装置は、当該波形観測装置に搭載のメモリに、熱電対などから取り込んだ計測データを格納する一方で、時々刻々変化する計測値つまり時系列の波形を表示部に表示することができる。例えば、特許文献１、２は、タッチパネル付きディスプレーを備えた波形観測装置を開示している。特許文献１は、表示部に表示したファンクションキーをユーザがタッチすることで、表示部に表示のファンクションキーが指定する機能を実行させることを提案している。特許文献２は、ペン入力可能なタッチスクリーンを使って、ペン入力によって表示波形を観測しながらコメントやマーキングの入力作業を行うことを開示している。
【０００４】
ところで、特許文献３は、波形観測装置に搭載のメモリ（本体メモリ）に格納されている計測データを長期保存するために、本体メモリの計測データのコピーをリムーバブル記録媒体（例えばＦＤ）に書き込む場合の従来の手法を開示している。具体的には、従来例として次の開示がある。すなわち、本体メモリの記憶容量が３時間分であるとして、１時間毎に本体メモリに格納すると、ＦＤには、初めの一時間では一時間分の計測データが書き込まれ、次の書き込みでは前の一時間分を含むその後の一時間分が書き込まれ、更に次の書き込みでは前の２時間分を含む三時間分のデータが書き込まれる。これに対して、特許文献３が提案する発明は、従来のように本体メモリに格納されている計測データつまり３時間分の計測データをＦＤに書き込む第１の態様と、本体メモリ内の計測データのうち過去にＦＤに書き込んだ測定データを除く現在までの本体メモリの計測データつまり差分データをＦＤに書き込む第２の態様とを選択可能にすることを提案している。
【０００５】
すなわち、特許文献３は、波形観測装置の本体メモリに格納されている計測データを他の記憶媒体に長期保存する際のデータの書き込み効率を改善する意図で、本体メモリに格納されている計測データに関して、第２の態様として差分データをＦＤに書き込む差分コピーの手法を提案するものである。現在市販されている波形観測装置は、特許文献３に記載の第２の態様つまり差分コピーの手法に準じた図１２に図示の方法で、本体メモリに格納されている計測データがＦＤやＵＳＢメモリにコピーされる。
【０００６】
図１２を参照して、波形観測装置は、所定のサンプリング周期に従って計測データを収集し、そして、所定のファイル作成周期になると一つの計測データファイルを作成して、当該計測データファイルの中に当該ファイル作成周期の期間中の計測データを収容する。これを具体的に説明すると、第５計測データのサンプリングが終了すると、第１計測データファイル００１を作成して当該第１計測データファイル００１に第１〜第５計測データを収容する。同じように、次のファイル作成周期において第１０計測データのサンプリングが終了すると、第２計測データファイル００２を作成して当該第２計測データファイル００２に第６〜第１０計測データを収容する。同じように、更に次のファイル作成周期において第１５計測データのサンプリングが終わると、第３計測データファイル００３を作成して当該第３計測データファイル００３に第１１〜第１５計測データを収容する。更に次のファイル作成周期において第２０計測データのサンプリングが終わると、第４計測データファイル００４を作成して当該第４計測データファイル００４に第１６〜第２０計測データを収容する。
【０００７】
【特許文献１】特開平７−１１４３４９号公報
【特許文献２】特開２００２−８２１３３号公報
【特許文献３】特開２０００−１４６６２８号公報
【発明の開示】
【発明が解決しようとする課題】
【０００８】
例えば計測データ収集中に何らかの不具合があった場合に外部コンピュータを使ってその原因の探求が行われる。この場合に、リムーバブル記憶媒体を使って波形観測装置からデータのコピーを入手することになるが、従来の差分コピーの手法を採用したときには、波形観測装置が収集した計測データのうち本体メモリに格納されているデータしかコピーできないという問題が生じる。図１２を参照して、この問題を説明すると、例えば波形観測装置が第１７計測データをサンプリングした時点でリムーバブル記憶媒体が波形観測装置に挿入された場合、従来の差分コピーの手法によれば、差分コピーは本体メモリに格納されている第１５計測データまでしかリムーバブル記憶媒体に供給されない。つまり、その後のバッファメモリに一時保存中の第１６、第１７計測データは差分コピーの対象から外された状態で差分コピーが実行される。このことから、第３計測データファイルを作成後の第１６、第１７計測データを収集している最中に不都合が発生した場合には、外部コンピュータによる原因の探求が不可能となる。
【０００９】
本発明の目的は、リムーバブル記憶媒体を波形観測装置に挿入して計測データのコピーを取り込むときに、その時点で波形観測装置が収集した最新の計測データを含めた差分コピーを行うことのできる波形観測装置及びそのシステムを提供することにある。
【００１０】
本発明の更なる目的は、波形観測装置及び外部コンピュータでの計測データの管理が容易な波形観測装置及びそのシステムを提供することにある。
【課題を解決するための手段】
【００１２】
上記技術的課題は、本発明の第１の観点によれば、
所定のファイル作成周期毎に本体メモリに形成した計測データファイルにサンプリングした計測データを収容すると共に、該本体メモリに格納されている前記計測データファイルのコピーをリムーバブル記憶媒体に供給する波形観測装置において、
サンプリングした計測データを一時的に保存するバッファメモリと、
前記リムーバブル記憶媒体が前記波形観測装置に挿入されて該リムーバブル記憶媒体から差分コピー指令を読み込んだ際に前記バッファメモリに一時保存中の計測データを収容するための計測データファイルを前記本体メモリに作成すると共に該計測データファイルに前記バッファメモリの計測データを収容するファイル作成手段と、
差分データを含む計測データファイルのコピーを前記リムーバブル記憶媒体に供給するファイル転送手段とを有することを特徴とする波形観測装置を提供することにより達成される。
【００１３】
上記の技術的課題は、本発明の第２の観点によれば、
所定のファイル作成周期毎に本体メモリに形成した計測データファイルにサンプリングした計測データを収容すると共に、該本体メモリに格納されている前記計測データファイルのコピーをリムーバブル記憶媒体に供給する波形観測装置において、
サンプリングした計測データを一時的に保存するバッファメモリと、
前記リムーバブル記憶媒体が前記波形観測装置に挿入されて該リムーバブル記憶媒体から差分コピー指令を読み込んだ際に前記バッファメモリに一時保存中の計測データを収容するための計測データファイルを前記本体メモリに作成すると共に該計測データファイルに前記バッファメモリの計測データを収容するファイル作成手段と、
差分データを含む計測データファイルのコピーを前記リムーバブル記憶媒体に供給するファイル転送手段とを有する波形観測装置に加えて、前記リムーバブル記憶媒体から差分コピーを受け取る外部コンピュータを更に有する波形観測システムにおいて、
前記差分コピーの保存が完了した前記リムーバブル記憶媒体から前記計測データファイルを前記外部コンピュータが受け取ったときに、該外部コンピュータが保存している前記計測データファイルのうち、前記リムーバブル記憶媒体から受け取った前記計測データファイルと共通する計測データファイルが上書き保存されることを特徴とする波形観測システムを提供することにより達成される。
【００１４】
本発明によれば、リムーバブル記憶媒体を使って波形観測装置が収集した計測データを取り出すときに、波形観測装置が収集してファイル化する前の一時保存中の計測データを含めて、この一時保管中の計測データもファイル化した状態で波形観測装置からリムーバブル記憶媒体に差分コピーを書き込むことができる。したがって、リムーバブル記憶媒体を波形観測装置に挿入して計測データのコピーを取り込むときに、その時点で波形観測装置が収集した最新の計測データを含めた差分コピーを行うことができる。また、差分コピーを行う際に波形観測装置及び外部コンピュータでの計測データがファイル化されているため、計測データの管理が容易である。
【発明を実施するための最良の形態】
【００１５】
以下に、添付の図面に基づいて本発明の好ましい実施例を説明する。図１は、実施例の波形観測装置１の正面図である。波形観測装置１は、表示部２の下方に、下ヒンジ上開きの防水蓋３を有し、スライドロック４を解放して、下ヒンジ５を中心に防水蓋３を開放することができる。図２は防水蓋３を開いた状態を示す。この図２から分かるように、防水蓋３を開くことにより、メイン電源スイッチ６、スタート/ストップスイッチボタン７、設定メニューボタン８、ユーザキーボタン９、タッチパネル機能ロックスイッチボタン１０、ＵＳＢコネクタ１１を露出させることができる。
【００１６】
図３は波形観測装置１の分解斜視図であり、図４は、そのブロック図である。波形観測装置１は、本体２０と、この本体２０の前面に脱着可能なフロントユニット２２とを有する。フロントユニット２２は、化粧パネル２２０、前面フレーム２２１、タッチパネル２２２、バックライト２２３（図４）を備えた液晶ディスプレー２２４とで構成され、タッチパネル２２２及びバックライト付きの液晶ディスプレー２２４によって上記表示部２が構成され、表示部２には図示のように波形チャートが表示される。
【００１７】
本体２０は、その前面に位置し且つ起立した状態の中継基板２０１と、中継基板２０１の上端に接続されて水平方向に延びるメイン基板２０２とを有し、中継２０１には、１０個の計測ユニット用コネクタ２０３と、４個のＩＯユニット用コネクタ２０４が配設されている。中継基板２０１及びメイン基板２０２は本体ケース２０５の内部に収容される。
【００１８】
本体ケース２０５は、金属製の外側ケース２０６と、内側のプラスチックケース２０７とで構成され、プラスチックケース２０７には、計測ユニット２３及びＩＯユニット２４を収容する左右２列の多段の棚が形成されている。計測ユニット２３、ＩＯユニット２４は、プラスチックケース２０７の棚に後方から挿入することでコネクタ接続することができる。すなわち、起立した状態でプラスチックケース２０７の前方に位置する中継基板２０１には、上記プラスチックケース２０７の各棚に関連した位置にコネクタ２０３、２０４が配設され、計測ユニット２３又はＩＯユニット２４は、プラスチックケース２０７の各棚に挿入することで中継基板２０１にコネクタ接続することができる。このような構成を採用することにより波形観測装置１を小型化することができる。
【００１９】
計測ユニット２３及びＩＯユニット２４には、夫々、その背面に端子台２５、２６が配設され（図４）、計測ユニット２３の端子台２５には熱電対、測温抵抗体、流量計、圧力センサなどの各種センサ２７が結線される。そして、ユニット内マイコン２８は、センサ２７から信号を受け取ると中継基板２０１を介してメイン基板２０２のＣＰＵ２９と交信し、センサ２７から受け取った計測データをメイン基板２０２に送信する。
【００２０】
メイン基板２０２のＣＰＵ２９は、所定のプログラムに従って信号処理して、計測データを所定の周期で本体メモリ３１に記憶させると共に表示部２の描画を制御するための画像信号を生成する。メイン基板２０２と表示部２とは中継基板２０１を介して接続されている。ユーザがタッチパネル２２２にタッチすると、これに対応したタッチ位置信号又は座標信号がタッチパネル２２２からメイン基板２０２のＣＰＵ２９に供給され、ＣＰＵ２９は、タッチ位置の意味するキーが意味する機能を実現する、又は、座標信号に基づいて表示部２に表示している波形のスクロールを実行する信号を生成する。
【００２１】
波形観測装置１は、工場内の制御盤３２（図４）に設置され、工場内ＬＡＮ３３を介してパーソナルコンピュータ３４に接続可能であり、パーソナルコンピュータ３４は、波形観測装置１に表示されている波形と同じ波形を表示することができる。また、波形観測装置１の本体メモリ３１に格納されているデータは、後に説明するようにＵＳＢコネクタ１１に、リムーバブル記録媒体であるＵＳＢメモリ３５を差し込むことで、そのコピーを取り出すことができる。
【００２２】
本体メモリ３１に計測データを格納するための条件であるトリガ設定はパーソナルコンピュータ３４を使って行うことができる。また、パーソナルコンピュータ３４には、ＵＳＢメモリ３５又はパーソナルコンピュータ３４に転送するデータのコピー及び編集を実行するための条件を設定するための編集コピー条件設定プログラムが組み込まれており、ユーザは、パーソナルコンピュータ３４を使って、計測データのコピー及び編集の条件を設定することができる。そして、ユーザが設定した編集及びコピーの設定条件に従って、本体メモリ３１に格納されているデータから所望のデータが読み込まれ、この抽出したデータのコピーをファイル化してパーソナルコンピュータ３４に転送又はリムーバブル記録媒体であるＵＳＢメモリ３５に記憶させることができる。
【００２３】
図５は、端子台２５を介した計測データの入力から本体メモリ３１へのファイル化したデータの格納及び波形の表示に関連した部分のブロック図である。端子台２５に接続された各種のセンサ２７から入力される計測データ信号は、計測回路２３（図４）に含まれるＡ／Ｄ変換器４０を介してマイコン２８に入力され、マイコン２８からメイン基板２０２のＣＰＵ２９に転送される。
【００２４】
波形観測装置１は、パーソナルコンピュータ３４つまりトリガ設定手段４７（図５）を使って設定した、サンプリングする計測データのトリガ条件、例えば計測データを取り込むサンプリング周期、各種イベント、立ち上がりなどに従ってトリガ検出器４２を経由して計測データがメモリコントローラ４４に送られてバッファメモリ３０に一時保存されると共に、メモリコントローラ４４を通じて表示コントローラ４６に送られて表示部２で波形表示される。そして、バッファメモリ３０に一時保存されている計測データは、所定のファイル作成周期毎にファイル化した状態で本体メモリ３１に格納される。
【００２５】
なお、本実施例における通常のファイルの作成は、計測データの量が所定量、つまりバッファメモリ３０の容量の所定量又は割合になった場合に、自動的に作成されるようになっている。しかし、このような手法以外にも、予め定めた計測データ取得回数や、計測データ周期間になった時点で、通常の計測データのファイルを作成するようにしてもよい。
【００２６】
本体メモリ３０に格納されている計測データの一部のコピーをパーソナルコンピュータ３４に転送する際のデータ編集及びコピーの条件を設定する編集コピー条件設定手段４８を構成する。
【００２７】
編集コピーの条件は、パーソナルコンピュータ３４の表示画面を使って設定することができ、ユーザが設定できる事項としては、後に説明する差分コピーの他に次のような項目を含む。
【００２８】
（１）基本設定としてデータ抽出範囲の設定；
選択肢として、(1a)経過時間、(1b)データの範囲、(1c)直近のデータ、(1d)アラーム位置で抽出、(1e)コメント位置で抽出。
（２）詳細条件の設定；
(2a)抽出開始日時を指定、(2b)抽出開始のデータ位置を指定、(2c)直近のデータを抽出する場合に最新データから過去何日前、何時間前を指定、(2d)所定の時間間隔のデータを抽出する場合のインターバル時間の指定、(2e)アラーム位置、コメント位置で抽出する場合の各位置の前後で取得するデータの範囲をデータ数又は時間で指定、(2f)前データ及び／又は後データの範囲をデータ数、日、時間、分で指定、(2g)出力ファイル形式としてバイナリ又はCSVの指定、(2h)データの圧縮を行うか否かの指定、(2i)圧縮率の指定など。なお、波形観測装置１はマルチチャンネルであり、図６では図示していないが、編集コピーする対象のチャンネルは単数又は複数であっても、これを指定できるようにするのが好ましいことは言うまでもない。
【００２９】
図６、図７は、ＵＳＢメモリ３５を使った差分コピーの概要を示す図であり、波形観測装置１には、差分コピーのための編集コピープログラムが予め組み込まれており、この編集コピープログラムによって図６の処理が実行される。図６を参照して、第１７計測データをサンプリングした時点でＵＳＢメモリ３５から波形観測装置１に指令が入力されると、未だファイル化されていない第１６、第１７計測データを収容するための新規な計測データファイルが本体メモリ３１に生成され、そして当該計測データファイルに連続番号００４を含むファイル名が付与されると共に、この新規の第４計測データファイル００４に、バッファメモリ３０に一時保存中の第１６、第１７計測データが収容される。
【００３０】
第１３計測データまで前回コピー済みであるとすると、現在、この第１３計測データを収容した第３計測データファイル００３には第１１〜第１５計測データが収容されている。ＵＳＢメモリ３５には、差分コピーの対象として第３計測データファイル００３及びこれに収容されている第１１〜第１５計測データと、通常のファイル作成周期の前に特別に作成して連続番号を含むファイル名を付与した第４計測データファイル００４及びこれに収容されている第１６、第１７計測データのコピーが書き込まれる。
【００３１】
図７は、パーソナルコンピュータ３４の内部メモリに格納されている計測データファイルを示す。ＵＳＢメモリ３５から第３計測データファイル００３、第４計測データファイル００４を取り込む前は、第１〜第３計測データファイル００１〜００３がパーソナルコンピュータ３４に保存されているが、第３計測データファイル００３の中身は第１１〜第１３計測データである。ＵＳＢメモリ３５から第３計測データファイル００３、第４計測データファイル００４がパーソナルコンピュータ３４に転送されると、第３計測データファイル００３は上書きされる。したがって、ＵＳＢメモリ３５からデータを受け取った後のパーソナルコンピュータ３４には、第１計測データファイル００１〜第４計測データファイル００４が格納された状態にあり、第３計測データファイル００３は第１１〜第１５計測データを含み、他方、第４計測データファイル００４の中身は第１６、第１７計測データであり、ＵＳＢメモリ３５から差分コピー指令を受け取った時点の波形計測装置１の本体メモリ３１と同じである。
【００３２】
このようにファイル単位で計測データを管理することで、計測データの利用の便宜を確保できるだけでなく、ＵＳＢメモリ３５を使って計測データの差分コピーを実行した時点のバッファメモリ３０に一時保存されている計測データを含めた差分コピーがパーソナルコンピュータ３４に供給されることから、パーソナルコンピュータ３４を使った不都合の原因の探求においてデータの漏れを無くすることができる。勿論、差分コピーであるため、波形計測装置１からＵＳＢメモリ３５へデータの書き込み、ＵＳＢメモリ３５からパーソナルコンピュータ３４へのデータの書き込みを効率化できるのは言うまでもない。
【００３３】
差分コピーに関して、図８〜図１０のフローチャートを参照して具体的な一例を説明する。図８は、ＵＳＢメモリ３５の初期設定に関する手順を示す。パーソナルコンピュータ３４には、計測データのコピーに関するプログラムが予め組み込まれており、このパーソナルコンピュータ３４を使ってＵＳＢメモリ３５の初期設定を行うことができる。ステップＳ１１でパーソナルコンピュータ３４にＵＳＢメモリ３５を挿入して、パーソナルコンピュータ３４のデータコピープログラムを起動させた後に、パーソナルコンピュータ３４のモニタに表示される初期設定画面にユーザＩＤ、パスワードなど必要項目を入力することで、ＵＳＢメモリ３５に当該必要項目を収容したユーザ管理ファイルが保存される（Ｓ１３）。
【００３４】
図９は、ＵＳＢメモリ３５を使って波形観測装置１から差分コピーを取得する手順を示す。ＵＳＢメモリ３５を波形観測装置１に挿入してユーザＩＤ及びパスワードを入力してログインすると（Ｓ２１）、ＵＳＢメモリ３５から編集コピープログラムの起動指令及び差分コピー指令が波形観測装置１に送信され（Ｓ２２）、これにより波形観測装置１はＵＳＢメモリ３５に保存されているコピー履歴の読み込みを実行する（Ｓ２３）。勿論、波形観測装置１が当該ユーザのコピー履歴を保存していてもよい。
【００３５】
コピー履歴を参照して、図６の例で言えば第１３計測データまでコピー済みであれば、それ以降の第１５計測データまで収容した既存の第３計測データファイル００３の他に、ファイル化されていない計測データの有無が判定され（Ｓ２４）、ＹＥＳ、つまり図６の例で言えば、ＵＳＢメモリ３５からのコピー指令を受け取った時点において、バッファメモリ３０に一時保存中の第１６計測データ及び最新の第１７計測データが存在していれば、次のステップＳ２５で、波形観測装置１の本体メモリ３１に新規の計測データファイルを作成すると共に当該新規の計測データファイルに連番（００４）を含むファイル名が付与され、そして、この第４計測データファイルに第１６、第１７計測データが収容される。そして、次のステップＳ２６において、第３計測データファイル００３及び第４計測データファイル００４のコピーがＵＳＢメモリ３５に供給されてＵＳＢメモリ３５に書き込みが実行される。
【００３６】
上記ステップＳ２４においてＮＯ、つまりファイル化されていないバッファメモリ３０に一時保存中の計測データが存在してない場合には、ステップＳ２６に移行して、波形観測装置１の本体メモリ３１に保存されている計測データファイルのうち、差分の計測データを含む計測データファイルがＵＳＢメモリ３５に供給されてＵＳＢメモリ３５に書き込みが実行される。
【００３７】
図１１は計測データファイルの内容を説明するための図である。計測データファイルには、波形観測装置１でデータを収集するに際して設定された計測設定データ、当該計測データファイルに格納されている計測データの収集期間中に発生したアラーム及びユーザが入力したコメントのデータが収容されており、上記計測データの差分には、これらアラーム及びコメントを含むものとして理解されたい。
【００３８】
図１０を参照して、差分データを記憶したＵＳＢメモリ３５からパーソナルコンピュータ３４にデータを転送する手順を説明する。パーソナルコンピュータ３４にＵＳＢメモリ３５を差し込むと、ステップＳ３１から次のステップＳ３２に進んで、パーソナルコンピュータ３４の計測データコピープログラムが起動し、この計測データコピープログラムによってＵＳＢメモリ３５に保存されている計測データファイルの取り込みが実行され、取り込んだ計測データファイルがパーソナルコンピュータ３４の内部メモリであるハードディスクに格納される（Ｓ３３）。
【００３９】
ステップＳ３４について、前述した図７の例で説明すると、パーソナルコンピュータ３４のハードディスクには、ＵＳＢメモリ３５から差分データを受け取る前は、第１計測データファイル００１〜第３計測データファイル００３が格納されており、そして、第３計測データファイル００３の中身は第１１〜第１３計測データである。ＵＳＢメモリ３５から差分データとして第３計測データファイル００３及び第４計測データファイル００４のコピーを受け取ると、第３計測データファイル００３が上書きされる。従って、ＵＳＢメモリ３５から差分データを受け取った後のパーソナルコンピュータ３４のハードディスクには、第１計測データファイル００１〜第４計測データファイル００４が格納された状態となるが、第３計測データファイル００３には、第１１〜第１５計測データが含まれている。
【００４０】
上記ステップＳ３３におけるパーソナルコンピュータ３４への計測データファイルのコピーの転送が完了すると、ステップＳ３４に進んで、ＵＳＢメモリ３５のコピー履歴ファイルの更新が行われ、第１７計測データまでコピー済みであることがＵＳＢメモリ３５に書き込まれる。また、ステップＳ３５でＵＳＢメモリ３５内の第３計測データファイル００３及び第４計測データファイル００４の消去が実行される。これら一連のステップが完了すると、パーソナルコンピュータ３４の計測データコピープログラムが終了する（Ｓ３６）。
【００４１】
例えば、パーソナルコンピュータ３４を不都合が発生してその原因を使って探求するために、リムーバブル記録媒体であるＵＳＢメモリ３５を使って波形観測装置１が収集した計測データを入手する場合に、ＵＳＢメモリ３５を差し込んだ時点において波形観測装置１が収集したバッファメモリ３０中の最新の計測データを含めてパーソナルコンピュータ３４に取り込むことができるので、パーソナルコンピュータ３４によって不都合の原因をデータの漏れ無しに的確に探求することができる。また、波形観測装置１及びパーソナルコンピュータ３４には、計測データをファイル化して格納されているため、計測データの管理が容易であり、例えば所望の計測データをサーチする時に都合が良い。
【図面の簡単な説明】
【００４２】
【図１】実施例の波形観測装置の正面図である。
【図２】図１と同様に実施例の波形観測装置の正面図であり、ディスプレーの下に配した蓋を開けた状態を示す図である。
【図３】実施例の波形観測装置の分解斜視図である。
【図４】実施例の波形観測装置のブロック図である。
【図５】波形観測装置が収集した計測データをファイル化して本体メモリに格納し、ＵＳＢメモリに転送するために計測データをファイル化する処理を行う編集コピープログラムを実行するのに関連した要素を抽出したブロック図である。
【図６】差分コピーに関して波形観測装置が行う一連の処理を説明するための図である。
【図７】差分コピーに関してＵＳＢメモリからパーソナルコンピュータに計測データを供給してパーソナルコンピュータに保存する処理を説明するための図である。
【図８】ＵＳＢメモリを初期化してユーザ管理ファイルを作成する一連の処理を説明するためのフローチャートである。
【図９】波形観測装置にＵＳＢメモリを挿入してから差分データをＵＳＢメモリに書き込むまでの一連の処理を説明するためのフローチャートである。
【図１０】差分データを受け取ったＵＳＢメモリをパーソナルコンピュータに挿入してから差分データをパーソナルコンピュータに書き込むまでの一連の処理を説明するためのフローチャートである。
【図１１】波形観測装置の本体メモリに格納される計測データファイルの中身を説明するための図である。
【図１２】従来の波形観測装置における計測データのファイル化を説明するための図である。
【符号の説明】
【００４３】
１    波形観測装置
２    表示部
１１  ＵＳＢコネクタ
２９  ＣＰＵ
３０  バッファメモリ
３１  本体メモリ
３３  工場内ＬＡＮ
３４  パーソナルコンピュータ
３５  ＵＳＢメモリ
【図１】
0005319173.tif 000002
【図２】
0005319173.tif 000003
【図３】
0005319173.tif 000004
【図４】
0005319173.tif 000005
【図５】
0005319173.tif 000006
【図６】
0005319173.tif 000007
【図７】
0005319173.tif 000008
【図８】
0005319173.tif 000009
【図９】
0005319173.tif 000010
【図１０】
0005319173.tif 000011
【図１１】
0005319173.tif 000012
【図１２】
0005319173.tif 000013